【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
負荷設備に接続され、該負荷設備に直流電力を供給する電池のフロート充電システムであって、
交流電源から電力の供給を受けて直流電力に変換して出力する電源装置と、
水素吸蔵合金を負極材料として含む負極と、正極と、を備えたニッケル水素電池ユニットを複数機積層してなり、前記電源装置に接続され、前記負荷設備に接続されたニッケル水素電池と、
前記ニッケル水素電池に取り付けられ、該ニッケル水素電池の状態を検出して、該ニッケル水素電池の状態を示す状態信号を出力する状態信号出力装置と、
前記状態信号に基づいて、前記ニッケル水素電池が満充電状態であるか否かを判別し、満充電状態であると判別したときは、前記ニッケル水素電池の充電電流を０．０１Ｃ以下とするよう、前記電源装置の出力を制御する充電制御装置とを有する、ニッケル水素電池のフロート充電システム。
【請求項２】
前記状態信号出力装置は、
前記ニッケル水素電池の状態としての温度を検出する温度計を有する、請求項１に記載のニッケル水素電池のフロート充電システム。
【請求項３】
前記状態信号出力装置は、
前記ニッケル水素電池の状態としての電流値を検出する電流計をさらに有し、
前記充電制御装置は、
前記ニッケル水素電池の電流値に基づいて、前記ニッケル水素電池が満充電状態であるか否かを判別し、満充電状態であると判別したときは、前記ニッケル水素電池の温度と、値域が０．０１Ｃ以下である前記ニッケル水素電池の温度に対する所定の減少関数と、に基づいて求めた前記ニッケル水素電池の充電電流とするよう、前記電源装置の出力を制御する、請求項２に記載のニッケル水素電池のフロート充電システム。
【請求項４】
前記ニッケル水素電池と直列に接続され、前記ニッケル水素電池の充電電流を調節する充電電流調節手段をさらに有する、請求項１から請求項３のいずれか１項に記載のニッケル水素電池のフロート充電システム。
【請求項５】
前記充電電流調節手段は、
前記ニッケル水素電池の放電時に電流の流れを阻止する向きに前記ニッケル水素電池と直列に接続されたダイオードと、
前記ダイオードと並列に接続された可変抵抗器とを有する、請求項４に記載のニッケル水素電池のフロート充電システム。
【請求項６】
前記負極の負極材料の水素吸蔵合金はミッシュメタルを含まない、請求項１から請求項５のいずれか１項に記載のニッケル水素電池のフロート充電システム。
【請求項７】
前記負極の負極材料の水素吸蔵合金がＬａＮｉ５型合金であり、その組成がＭｍＮｉａＣｏｂＭｎｃＡｌｄであり、ＭｍはＬａ，Ｃｅ，Ｐｒ，Ｎｄの混合物からなり、３．７＜ａ＜３．８、０．７＜ｂ＜０．７５、０．３＜ｃ＜０．４、０．３＜ｄ＜０．３５、であり、４．９＜ａ＋ｂ＋ｃ＋ｄ＜５．３である、請求項１から請求項５のいずれか１項に記載のニッケル水素電池のフロート充電システム。
【請求項８】
前記ニッケル水素電池ユニットは、
前記正極に接続されてなる導電性の正極集電体と、該正極集電体に対面し前記負極に接続されてなる導電性の負極集電体と、をさらに備え、
前記ニッケル水素電池は、
隣り合う２機の前記ニッケル水素電池ユニットの一方のユニットの正極集電体ともう一方のユニットの負極集電体との間に、気体または液体からなる伝熱媒体の流通経路が設けられてなる、請求項１から請求項７のいずれか１項に記載のニッケル水素電池のフロート充電システム。
【請求項９】
前記ニッケル水素電池ユニットは、
前記正極に接続されてなる導電性の正極集電体と、該正極集電体に対面し前記負極に接続されてなる導電性の負極集電体と、をさらに備え、
前記ニッケル水素電池は、
隣り合う２機の前記ニッケル水素電池ユニットの一方のユニットの正極集電体ともう一方のユニットの負極集電体との間に、両集電体に接するように挿入されてなる、気体または液体からなる伝熱媒体の流通経路を備えた伝熱板をさらに有する、請求項１から請求項７のいずれか１項に記載のニッケル水素電池のフロート充電システム。
【請求項１０】
前記ニッケル水素電池が密閉構造である、請求項１から請求項９のいずれか１項に記載のニッケル水素電池のフロート充電システム。
【請求項１１】
前記ニッケル水素電池が開放構造である、請求項１から請求項９のいずれか１項に記載のニッケル水素電池のフロート充電システム。
【請求項１２】
前記ニッケル水素電池の出力側に電力調整装置を介さずに前記負荷設備に接続される、請求項１から請求項１１のいずれか１項に記載のニッケル水素電池のフロート充電システム。
【請求項１３】
負極材料としてミッシュメタルを含まない負極と、正極と、前記負極に接触する導電性の負極集電体と、該負極集電体に対面し前記正極に接触する導電性の正極集電体が設けられてなるニッケル水素電池ユニットを複数機積層して、隣り合う２機の前記ニッケル水素電池ユニットの一方のユニットの正極集電体ともう一方のユニットの負極集電体との間に、両集電体に接するように挿入されてなる、気体または液体からなる伝熱媒体の流通経路を備えた伝熱板を有するニッケル水素電池のフロート充電方法において、
前記ニッケル水素電池の状態を検出する状態検出ステップと、
前記検出したニッケル水素電池の状態に基づいて、前記ニッケル水素電池が満充電状態であるか否かを判別する満充電判別ステップと、
前記ニッケル水素電池が満充電状態であると判別されたときは、前記ニッケル水素電池の充電電流を０．０１Ｃ以下とするよう、交流電源からの電力を直流電力に変換して前記ニッケル水素電池に充電を行う充電ステップとを備えた、ニッケル水素電池のフロート充電方法。
【請求項１４】
前記状態検出ステップは、
前記ニッケル水素電池の状態としての電流値を検出する、請求項１３に記載のニッケル水素電池のフロート充電方法。
【請求項１５】
前記状態検出ステップは、
前記ニッケル水素電池の状態としての電流値を、さらに検出し、
前記満充電判別ステップは、
前記ニッケル水素電池の電流値に基づいて、前記ニッケル水素電池が満充電状態であるか否かを判別し、
前記充電制御ステップは、
前記ニッケル水素電池が満充電状態であると判別されたときは、前記ニッケル水素電池の温度と、値域が０．０１Ｃ以下である前記ニッケル水素電池の温度に対する所定の減少関数と、に基づいて求めた前記ニッケル水素電池の充電電流とするよう、交流電源からの電力を直流電力に変換して前記ニッケル水素電池に充電を行う、請求項１４に記載のニッケル水素電池のフロート充電方法。
【手続補正２】
【補正対象書類名】明細書
【補正対象項目名】００１９
【補正方法】変更
【補正の内容】
【００１９】
上記の目的を達成するために本発明に係るニッケル水素電池のフロート充電システムは、負荷設備に接続され、該負荷設備に直流電力を供給する電池のフロート充電システムであって、交流電源から電力の供給を受けて直流電力に変換して出力する電源装置と、水素吸蔵合金を負極材料として含む負極と、正極と、を備えたニッケル水素電池ユニットを複数機積層してなり、前記電源装置に接続され、前記負荷設備に接続されたニッケル水素電池と、前記ニッケル水素電池に取り付けられ、該ニッケル水素電池の状態を検出して、該ニッケル水素電池の状態を示す状態信号を出力する状態信号出力装置と、前記状態信号に基づいて、前記ニッケル水素電池が満充電状態であるか否かを判別し、満充電状態であると判別したときは、前記ニッケル水素電池の充電電流を０．０１Ｃ以下とするよう、前記電源装置の出力を制御する充電制御装置とを有する（請求項１）。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】変更
【補正の内容】
【００２３】
ここで、本発明の説明において状態信号出力装置とは、ニッケル水素電池の状態としての信号を出力する装置であって、例えば、電流計であり、温度計であり、電池監視回路であり、またはこれらを含む装置である。
【手続補正７】
【補正対象書類名】明細書
【補正対象項目名】００２５
【補正方法】変更
【補正の内容】
【００２５】
本発明に係るニッケル水素電池のフロート充電システムにおいては、前記状態信号出力装置は、前記ニッケル水素電池の状態としての温度を検出する温度計を有する（請求項２）。
【手続補正８】
【補正対象書類名】明細書
【補正対象項目名】００２６
【補正方法】変更
【補正の内容】
【００２６】
この構成によれば、ニッケル水素電池が満充電状態であるか否かの判別に、ニッケル水素電池の状態としての温度を用いることができる。
【手続補正９】
【補正対象書類名】明細書
【補正対象項目名】００２８
【補正方法】変更
【補正の内容】
【００２８】
本発明に係るニッケル水素電池のフロート充電システムにおいては、前記状態信号出力装置は、前記ニッケル水素電池の状態としての電流値を検出する電流計をさらに有し、前記充電制御装置は、前記ニッケル水素電池の電流値に基づいて、前記ニッケル水素電池が満充電状態であるか否かを判別し、満充電状態であると判別したときは、前記ニッケル水素電池の温度と、値域が０．０１Ｃ以下である前記ニッケル水素電池の温度に対する所定の減少関数と、に基づいて求めた前記ニッケル水素電池の充電電流とするよう、前記電源装置の出力を制御する（請求項３）。
【手続補正１０】
【補正対象書類名】明細書
【補正対象項目名】００２９
【補正方法】変更
【補正の内容】
【００２９】
この構成によれば、ニッケル水素電池が満充電状態であるか否かの判別に、ニッケル水素電池の状態としての電流値を用いることができる。なお、電流計は、例えば充電器と負荷設備とを結ぶ直流母線とニッケル水素電池の間に接続される。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】変更
【補正の内容】
【００３２】
本発明に係るニッケル水素電池のフロート充電システムにおいては、前記ニッケル水素電池と直列に接続され、前記ニッケル水素電池の充電電流を調節する充電電流調節手段をさらに有する（請求項４）。
【手続補正１４】
【補正対象書類名】明細書
【補正対象項目名】００３３
【補正方法】変更
【補正の内容】
【００３３】
この構成によれば、充電電流調節手段により、ニッケル水素電池の充電電流を任意に調節できる。
【手続補正１５】
【補正対象書類名】明細書
【補正対象項目名】００３４
【補正方法】変更
【補正の内容】
【００３４】
本発明に係るニッケル水素電池のフロート充電システムにおいては、前記充電電流調節手段は、前記ニッケル水素電池の放電時に電流の流れを阻止する向きに前記ニッケル水素電池と直列に接続されたダイオードと、前記ダイオードと並列に接続された可変抵抗器とを有してもよい（請求項５）。
【手続補正１６】
【補正対象書類名】明細書
【補正対象項目名】００３５
【補正方法】変更
【補正の内容】
【００３５】
この構成によれば、充電電流調節手段が、ダイオードと可変抵抗器とを含む。可変抵抗器にメモリと調節つまみを設け、調節つまみの操作により、ニッケル水素電池の充電電流を調節可能としてもよい。
【手続補正１７】
【補正対象書類名】明細書
【補正対象項目名】００３６
【補正方法】変更
【補正の内容】
【００３６】
本発明に係るニッケル水素電池のフロート充電システムに用いるニッケル水素電池は、前記負極の負極材料の水素吸蔵合金はミッシュメタルを含まない（請求項６）。
【手続補正１８】
【補正対象書類名】明細書
【補正対象項目名】００３７
【補正方法】変更
【補正の内容】
【００３７】
この構成によれば、未精製の希土類金属（Ｌａ，Ｃｅ，Ｐｒ，Ｎｄなど）の混合物であるミッシュメタル（Ｍｍ）を負極材料として含まない。
【手続補正１９】
【補正対象書類名】明細書
【補正対象項目名】００３８
【補正方法】変更
【補正の内容】
【００３８】
本発明に係るニッケル水素電池のフロート充電システムに用いるニッケル水素電池は、前記負極の負極材料の水素吸蔵合金がＬａＮｉ５型合金であり、その組成がＭｍＮｉａＣｏｂＭｎｃＡｌｄであり、ＭｍはＬａ，Ｃｅ，Ｐｒ，Ｎｄの混合物からなり、３．７＜ａ＜３．８、０．７＜ｂ＜０．７５、０．３＜ｃ＜０．４、０．３＜ｄ＜０．３５、であり、４．９＜ａ＋ｂ＋ｃ＋ｄ＜５．３である（請求項７）。
【手続補正２０】
【補正対象書類名】明細書
【補正対象項目名】００４０
【補正方法】変更
【補正の内容】
【００４０】
本発明に係るニッケル水素電池のフロート充電システムに用いるニッケル水素電池は、前記ニッケル水素電池ユニットは、前記正極に接続されてなる導電性の正極集電体と、該正極集電体に対面し前記負極に接続されてなる導電性の負極集電体と、をさらに備え、前記ニッケル水素電池は、隣り合う２機の前記ニッケル水素電池ユニットの一方のユニットの正極集電体ともう一方のユニットの負極集電体との間に、気体または液体からなる伝熱媒体の流通経路が設けられてなる（請求項８）。
【手続補正２１】
【補正対象書類名】明細書
【補正対象項目名】００４１
【補正方法】変更
【補正の内容】
【００４１】
本発明に係るニッケル水素電池のフロート充電システムに用いるニッケル水素電池は、前記ニッケル水素電池ユニットは、前記正極に接続されてなる導電性の正極集電体と、該正極集電体に対面し前記負極に接続されてなる導電性の負極集電体と、をさらに備え、前記ニッケル水素電池は、隣り合う２機の前記ニッケル水素電池ユニットの一方のユニットの正極集電体ともう一方のユニットの負極集電体との間に、両集電体に接するように挿入されてなる、気体または液体からなる伝熱媒体の流通経路を備えた伝熱板をさらに有する（請求項９）。
【手続補正２２】
【補正対象書類名】明細書
【補正対象項目名】００４３
【補正方法】変更
【補正の内容】
【００４３】
本発明に係るニッケル水素電池のフロート充電システムに用いるニッケル水素電池は、前記ニッケル水素電池が密閉構造である（請求項１０）。
【手続補正２３】
【補正対象書類名】明細書
【補正対象項目名】００４６
【補正方法】変更
【補正の内容】
【００４６】
本発明に係るニッケル水素電池のフロート充電システムに用いるニッケル水素電池においては、前記ニッケル水素電池が開放構造であってもよい（請求項１１）。
【手続補正２４】
【補正対象書類名】明細書
【補正対象項目名】００４７
【補正方法】変更
【補正の内容】
【００４７】
本発明に係るニッケル水素電池のフロート充電システムにおいては、前記ニッケル水素電池の出力側に電力調整装置を介さずに前記負荷設備に接続される（請求項１２）。
【手続補正２５】
【補正対象書類名】明細書
【補正対象項目名】００４９
【補正方法】変更
【補正の内容】
【００４９】
本発明に係るニッケル水素電池のフロート充電方法においては、負極材料としてミッシュメタルを含まない負極と、正極と、前記負極に接触する導電性の負極集電体と、該負極集電体に対面し前記正極に接触する導電性の正極集電体が設けられてなるニッケル水素電池ユニットを複数機積層して、隣り合う２機の前記ニッケル水素電池ユニットの一方のユニットの正極集電体ともう一方のユニットの負極集電体との間に、両集電体に接するように挿入されてなる、気体または液体からなる伝熱媒体の流通経路を備えた伝熱板を有するニッケル水素電池のフロート充電方法において、
前記ニッケル水素電池の状態を検出する状態検出ステップと、前記検出したニッケル水素電池の状態に基づいて、前記ニッケル水素電池が満充電状態であるか否かを判別する満充電判別ステップと、前記ニッケル水素電池が満充電状態であると判別されたときは、前記ニッケル水素電池の充電電流を０．０１Ｃ以下とするよう、交流電源からの電力を直流電力に変換して前記ニッケル水素電池に充電を行う充電ステップとを備える（請求項１３）。
【手続補正２６】
【補正対象書類名】明細書
【補正対象項目名】００５０
【補正方法】変更
【補正の内容】
【００５０】
本発明に係るニッケル水素電池のフロート充電方法においては、前記状態検出ステップは、前記ニッケル水素電池の状態としての電流値を検出する（請求項１４）。
【手続補正２７】
【補正対象書類名】明細書
【補正対象項目名】００５１
【補正方法】変更
【補正の内容】
【００５１】
本発明に係るニッケル水素電池のフロート充電方法においては、前記状態検出ステップは、前記ニッケル水素電池の状態としての電流値を、さらに検出し、前記満充電判別ステップは、前記ニッケル水素電池の電流値に基づいて、前記ニッケル水素電池が満充電状態であるか否かを判別し、前記充電制御ステップは、前記ニッケル水素電池が満充電状態であると判別されたときは、前記ニッケル水素電池の温度と、値域が０．０１Ｃ以下である前記ニッケル水素電池の温度に対する所定の減少関数と、に基づいて求めた前記ニッケル水素電池の充電電流とするよう、交流電源からの電力を直流電力に変換して前記ニッケル水素電池に充電を行う（請求項１５）。
【手続補正２８】
【補正対象書類名】明細書
【補正対象項目名】０１００
【補正方法】変更
【補正の内容】
【０１００】
直流電源装置１１は、図示しない交流電源から交流の電力の供給を受けて、直流電力に変換して、負荷となる機器１３に直流母線１０を介して直流電力を供給する。直流母線１０には機器１３と並列にニッケル水素電池１２が接続されていて、直流母線１０とニッケル水素電池１２との間には電流計１５が接続されていて、ニッケル水素電池１２に流れる電流が検出可能になっている。
【手続補正２９】
【補正対象書類名】明細書
【補正対象項目名】０１１９
【補正方法】変更
【補正の内容】
【０１１９】
図１４において、電池監視回路２２はニッケル水素電池１２の状態を検知して監視する回路であり、例えばニッケル水素電池１２に異常があれば警報等を発することにより、電池の異常を通報する。